(57)【要約】      （修正有）【課題】鍔観賞用具に時刻表示を行なうことができるようにし、動的で面白みがあり、かつ時刻も表示できるという実利的な面も有する鍔観賞用具を提供する。【解決手段】鍔観賞用具１は、茎孔７を中央に有する日本刀用の鍔２と、時計ムーブメント８の指針軸部が鍔の茎孔に通され、指針軸部に時刻表示用の指針１０が着脱可能に取り付けられている時計装置３と、鍔の茎孔の長手方向を時計装置の１２時方向に沿った方向に揃える鍔向き規制手段４とを備える。【選択図】図１
0003219219.tif 000002
【実用新案登録請求の範囲】
【請求項１】
茎孔を中央に有する日本刀用の鍔と、時計ムーブメントの指針軸部を前記鍔の茎孔に通していて、この指針軸部に時刻表示用の指針が着脱可能に取り付けられている時計装置と、前記鍔の茎孔の長手方向を時計装置の１２時方向に沿った方向に揃える鍔向き規制手段とを備えることを特徴とする鍔観賞用具。
【請求項２】
上記鍔向き規制手段は、時計ムーブメントの指針軸部が突出する面側に配置されて茎孔に係止する凸体を有した係止具であって、前記凸体が係止した茎孔の中央に対応する位置を通るように前記指針軸部を案内する透孔を備えているものである請求項１に記載の鍔観賞用具。
【請求項３】
上記鍔向き規制手段は、上記鍔の茎孔に挿入配置可能とされた縦長突起とこの縦長突起に貫通形成された孔であって指針軸部が通過可能とされたガイド孔とを備えている指針軸部ガイドであり、縦長突起が茎孔に挿入配置されたときの前記ガイド孔が、茎孔の中央に対応する位置にあって、ガイド孔に位置する指針軸部が茎孔の中央を通るように案内するものである請求項１に記載の鍔観賞用具。
【請求項４】
上記鍔向き規制手段は、上記時計ムーブメントとこの時計ムーブメントの指針軸部の突出側となる面に重なる上記鍔とを貼り合わせる両面接着部材である請求項１に記載の鍔観賞用具。
【考案の詳細な説明】
【技術分野】
【０００１】
本考案は、日本刀の刀剣の柄と刀身との間に挟んで柄を握る手を防護する鍔を観賞できるようにした鍔観賞用具に関するものである。
【背景技術】
【０００２】
従来から鍔を観賞し易くする用具として鍔立が用いられており、この鍔立は鍔を掛け留める立て掛け板部を主体部分とし、この立て掛け板部を傾倒状態で支持する傾斜支持部をも合わせて備えているものとして構成されている。
【０００３】
そして鍔立の立て掛け板部に鍔を留めることで鑑賞の対象が鍔である置物となるが、静的な置物となっていることから、例えば特許文献１の写真立てに時計を組み合わせた置物のように時刻表示を行なわせるようにして、動的な動きをして面白みのある形態にしたいとの要望があった。
【０００４】
さらに、特許文献２に示されているように従来から皿時計が知られており、この皿時計のようにして鍔の観賞が行なえる形態を提供したいとの要望もあった。
【先行技術文献】
【特許文献】
【０００５】
【特許文献１】公開実用昭和５８−０７４８７１号
【特許文献２】公開実用平成０２−０３３３９１号
【考案の概要】
【考案が解決しようとする課題】
【０００６】
しかしながら、特許文献１に示されているような時計としての動きのある部分を立て掛け板部の隅部に配置しても、時針や分針を大きくすることができず、鍔を観賞するための用具としては面白みに欠けるという不具合がある。
【０００７】
一方、上記皿時計は、皿の糸底側に時計ムーブメントを位置させるとともに、皿に開けた孔に、時針や分針などの指針を回転させる軸を通して、時針や分針などの指針を取り付けている構造を採用している。このように観賞の主体となる物品の前面側に時針や分針などを配置することにより、観賞の主体と時計とに一体感が加味される利点がある。
【０００８】
よって、皿時計のように鍔の前面側に時針や分針などを配置すれば、鍔を観賞する用具として面白みを高めることができる。そして、鍔と時計とを一体にするに際し、指針軸がまとめられている指針軸部を通すための開口部分として、鍔の茎孔（なかごあな）を利用することが考えられる。
【０００９】
しかしながら、鍔の茎孔に時計ムーブメントの指針軸部を通すことができたとしても、茎孔の中央部分に指針軸部を固定配置させておくことができないという不具合がある。
【００１０】
すなわち、図７（Ａ）（Ｂ）（Ｃ）に示すように鍔ａの茎孔ｂは、日本刀（打刀）ｃの柄ｄに覆われた短冊状の茎（なかご、「中心」とも表記される）ｅを通すために、刀身ｆの身幅（みはば）ｇ方向の寸法が大きい縦長の孔であり、刀身ｆの棟区（むねまち）ｈ側を平らにして刀身ｆの刃区（はまち）ｉ側を先細りした開口形状としている。
【００１１】
このように茎孔ｂは円孔ではなく、鍔ａの上下方向に長い開口となっているため、茎孔ｂに時計ムーブメントの指針軸部を通したとしても、時計ムーブメントに対して鍔自体を安定的に取り付けることができないという不都合がある。
【００１２】
そこで本考案は上記事情に鑑み、鍔観賞用具に時刻表示を行なうことができるようにすることを課題とし、動的で面白みがあり、かつ時刻も表示できるという実利的な面も有する鍔観賞用具を提供することを目的とするものである。
【課題を解決するための手段】
【００１３】
（請求項１の考案）
本考案は上記課題を考慮してなされたもので、茎孔を中央に有する日本刀用の鍔と、時計ムーブメントの指針軸部を前記鍔の茎孔に通していて、この指針軸部に時刻表示用の指針が着脱可能に取り付けられている時計装置と、前記鍔の茎孔の長手方向を時計装置の１２時方向に沿った方向に揃える鍔向き規制手段とを備えることを特徴とする鍔観賞用具を提供して、上記課題を解消するものである。
【００１４】
（請求項２の考案）
また、本考案において、上記鍔向き規制手段は、時計ムーブメントの指針軸部が突出する面側に配置されて茎孔に係止する凸体を有した係止具であって、前記凸体が係止した茎孔の中央に対応する位置を通るように前記指針軸部を案内する透孔を備えているものとすることが良好である。
【００１５】
（請求項３の考案）
また、本考案において、上記鍔向き規制手段は、上記鍔の茎孔に挿入配置可能とされた縦長突起とこの縦長突起に貫通形成された孔であって指針軸部が通過可能とされたガイド孔とを備えている指針軸部ガイドであり、縦長突起が茎孔に挿入配置されたときの前記ガイド孔が、茎孔の中央に対応する位置にあって、ガイド孔に位置する指針軸部が茎孔の中央を通るように案内するものであることが良好である。
【００１６】
（請求項４の考案）
また、本考案において、上記鍔向き規制手段は、上記時計ムーブメントとこの時計ムーブメントの指針軸部の突出側となる面に重なる上記鍔とを貼り合わせる両面接着部材であることが良好である。
【考案の効果】
【００１７】
本考案によれば、鍔の前方側（鍔を正面から見たときの鍔位置より手前側）に指針が位置するので、時針や分針などの指針を長くして時刻表示が明確に行なえる。また、観賞の対象である鍔に、指針の位置を把握し易くするための時計文字盤の役割を担わせることができるという優れた効果を奏するものである。
【図面の簡単な説明】
【００１８】
【図１】本考案の第一の実施例を正面から見た状態で示す説明図である。
【図２】同じく第一の実施例を一部を断面にして側方から見た状態で示す説明図である。
【図３】第二の実施例を分解した状態で示す説明図である。
【図４】同じく第二の実施例を側方から見た状態で示す説明図である。
【図５】第三の実施例を分解した状態で示す説明図である。
【図６】同じく第三の実施例を側方から見た状態で示す説明図である。
【図７】日本刀とその部材を示すもので、（Ａ）は鍔を概略的に示す説明図、（Ｂ）は刀身を概略的に示す説明図、（Ｃ）は鞘を外した日本刀を示す説明図である。
【考案を実施するための形態】
【００１９】
つぎに本考案を図１から図６に示す実施の形態に基づいて詳細に説明する。
【００２０】
（第一の実施例）
図中１は鍔観賞用具で、該鍔観賞用具１は図１と図２とに示されているように鍔２と時計装置３と鍔向き規制手段４とを備えてなるものである。図１と図２とには鍔観賞用具１をスタンド５の起立板６における開口部分に組み付けていて、この鍔観賞用具１の起立状態を簡単に安定させることができる形態が示されている。
【００２１】
（鍔）
鍔２は、中央に茎孔７を有するものである。鍔としては古来の日本刀の一つの部品であり、日本刀の刀身と柄との間に配置させて柄を握る手を防護する役割を有していたが、鍔に装飾などが施されているなどの理由から、現在では鍔単体で古美術品としての価値を有するものとなっている。
【００２２】
そして鍔２の茎孔７は上述したように日本刀の茎を通すことを目的として開けられた部分であり、鍔２の上下方向に長い開口となっている。そしてこの茎孔７は鍔２の中央に位置しており、茎孔７の中央がこの鍔２の中心位置に一致している。
【００２３】
（時計装置）
時計装置３は、時計ムーブメント８と、鍔２の茎孔７に通された前記時計ムーブメント８の指針軸部９に着脱可能にして取り付けられている時刻表示用の指針１０とからなるものである。前記時計ムーブメント８は、電源（例えば乾電池）からの給電を受けて回転する時針車と分針車とがケースに組み込まれていて、時針軸と分針軸とをシャフトに通して構成されている前記指針軸部９が図示のように前記ケースの一側面側から突出している。また、ケースの背面（時計装置の背面）となる側面には時刻合わせの調整摘みを操作可能に位置させた操作盤が構成されている。
【００２４】
鍔２の茎孔７に通された指針軸部９の先端側においては、時針軸に時針１１が着脱可能にして取り付けられているとともに、分針軸には分針１２が着脱可能にして取り付けられている。そして、上記指針１０は時針１１と分針１２との二針から構成されていて、前記二針からなる指針１０が鍔２の前方側に位置し、時計ムーブメント８からの駆動の下で動く指針１０により時刻表示を行なうように設けられている。
【００２５】
（鍔向き規制手段）
鍔向き規制手段４は、鍔２の茎孔７に指針軸部９を通している時計装置３の１２時方向に沿った方向（時計装置の上下方向）に、前記茎孔７の長手方向が揃うように鍔２の上下方向の向きを規制するものである。
【００２６】
そして、図１と図２とに示されている実施の形態においては、鍔向き規制手段４が両面接着部材１４で構成されている。図示されているように時計ムーブメント８の指針軸部９が突出している側の面に鍔２が重ね合わされていて、前記鍔２と時計ムーブメント８とが両面接着部材１４によって貼り合わされている。鍔向き規制手段４としている前記両面接着部材１４によって、時計装置３の１２時方向に沿った方向に茎孔７の長手方向が揃うようにして鍔２が時計ムーブメント８に貼り合わされている。
【００２７】
また、茎孔７の中央に指針軸部９が位置するようにして鍔２と時計ムーブメント８とが重ね合わされていて、鍔向き規制手段４である上記両面接着部材１４によって茎孔７の中央から指針軸部９がズレることがないように支持されている。
【００２８】
鍔向き規制手段４である上記両面接着部材１４によって鍔２と時計ムーブメント８とを貼り合わせることで、鍔２と時計装置３とが一体となっている鍔観賞用具１が形成されている。
【００２９】
図１に示した実施の形態ではスタンド５の起立板６に鍔観賞用具１を組み付ける構造としては、起立板６の開口の部分に鍔２を嵌め込む構造としているが、起立板６の方に上記時計ムーブメント８を嵌め入れることができる開口の部分を形成し、その開孔の部分に時計ムーブメント８を嵌め込むようにして、スタンド５が鍔観賞用具１を起立状態で支持する構造としてもよい。
【００３０】
さらにスタンド５の構造は限定されるものではない。例えば鍔２の下端部分を差し込んで鍔観賞用具１を起立状態や後傾状態で支持するタイプのスタンドを用いることも可能である。
【００３１】
（第二の実施例）
上記実施例では鍔向き規制手段４を両面接着部材１４からなるものとしているが、鍔向き規制手段４は上記両面接着部材１４に限定されるものではない。図３と図４とは第二の実施例の鍔観賞用具１を示していて、この第二の実施例において鍔向き規制手段４の他の例を説明する。
【００３２】
第二の実施例における鍔向き規制手段４は、図４に示すように鍔２と時計ムーブメント８との間に配置された略板状の係止具１５である。図３に示すように時計ムーブメント８には、指針軸部９側の側面から上面を経て、さらに上方に向けて折り起こされた金属板からなる吊り金具１６が取り付けられている。そして、吊り金具１６の指針軸部が突出する側面に位置している立て板部分で係止具１５が形成されている。
【００３３】
（鍔向き規制手段）
この第二の実施例における鍔向き規制手段４とした係止具１５には、鍔２の茎孔７に進入可能とされてその茎孔７に係止する凸体１７が切り起こしされている。さらに、この係止具１５には指針軸部９を通す透孔１８が開口されていて、この透孔１８は、凸体１７が茎孔７の上端に係止した状態でその茎孔７の中央に対応する位置に開口されており、茎孔７の中央に対応する位置を通るように指針軸部９を案内する孔である。そして、透孔１８に指針軸部９を通すことでその指針軸部９は鍔２の中央に位置することとなる。
【００３４】
指針軸部９の外筒であるシャフト１９には外ネジが切られており、鍔２の中央に位置した指針軸部９の先端側からナット締めすることで、鍔２と時計ムーブメント８とが一体的になるようにして連結している。
【００３５】
上記ナット締めされた指針軸部９の先端側に上記実施例と同様にして指針１０が取り付けられている。そして、二針からなる指針１０が鍔２の前方側に位置し、時計ムーブメント８からの駆動の下で動く指針１０により時刻表示を行なうように設けられている。
【００３６】
この第二の実施例の鍔観賞用具１は、鍔向き規制手段４を一部として有している吊り金具１６を備えているので、その吊り金具１６の上端部に開口の係止孔２０を利用して壁掛けすることができるものである。
【００３７】
（第三の実施例）
図５と図６とは第三の実施例を示している。図６に示すようにこの第三の実施例の鍔観賞用具１では、鍔２の背面側に背景板２１を配置しており、この背景板２１の茎孔７に対応する位置する箇所に、その茎孔７に挿入配置される指針軸部ガイド２２が一体にして設けられている。
【００３８】
（鍔向き規制手段）
そして、この第三の実施例の鍔観賞用具１では、茎孔７に挿入配置された上記指針軸部ガイド２２を鍔向き規制手段４としている。図示されているように指針軸部ガイド２２は、茎孔７に挿入配置可能とされて鍔２自体を安定的に掛け留めることができる縦長突起２３と、この縦長突起２３に貫通形成されていて、指針軸部９を通すことができるガイド孔２４とを備えている。
【００３９】
指針軸部ガイド２２の縦長突起２３の長手方向は、時計装置３の１２時方向に沿った方向と一致している。そのため、指針軸部ガイド２２の長手方向を時計装置３の１２時方向に沿った方向に揃えた背景板２１を、鍔２の背面側に配置し、指針軸部ガイド２２を茎孔７に挿入配置させて鍔２を背景板２１に重ねることで、鍔２の上下方向が、時計装置３の１２時方向に沿った方向に一致する。
【００４０】
さらに上記ガイド孔２４自体は、縦長突起２３が茎孔７に挿入配置されたときに茎孔７の中央に対応する位置となるものである。そして、この第三の実施例では、背景板２１の上下方向を時計装置３で１２時方向に沿った方向に揃えていて、さらにガイド孔２４に指針軸部９を通しながら背景板２１が時計ムーブメント８に重ねられるようにしており、これによって前記指針軸部９が茎孔７の中央を通る位置となるように案内されている。
【００４１】
第三の実施例においても指針軸部９の外筒となるシャフト１９に外ネジが切られていて、鍔２の中央に位置した指針軸部９の先端側からナット締めすることで、背景板２１を間に位置させた状態で鍔２と時計ムーブメント８とが一体的になるようにして連結している。
【００４２】
上記ナット締めされた指針軸部９の先端側に指針１０が取り付けられている。二針からなる指針１０は鍔２の前方側に位置し、時計ムーブメント８からの駆動の下で動く指針１０により時刻表示を行なうように設けられている。
【００４３】
なお、上記各実施例では時計装置３の指針１０を時針１１と分針１２との二針からなるものとしたが、秒針を備えた三針から構成することも可能である。
【符号の説明】
【００４４】
１…鍔観賞用具
２…鍔
３…時計装置
４…鍔向き規制手段
５…スタンド
６…起立板
７…茎孔
８…時計ムーブメント
９…指針軸部
１０…指針
１４…両面接着部材
１５…係止具
１６…吊り金具
１７…凸体
１８…透孔
１９…シャフト
２０…係止孔
２１…背景板
２２…指針軸部ガイド
２３…縦長突起
２４…ガイド孔
【図１】
0003219219.tif 000003
【図２】
0003219219.tif 000004
【図３】
0003219219.tif 000005
【図４】
0003219219.tif 000006
【図５】
0003219219.tif 000007
【図６】
0003219219.tif 000008
【図７】
0003219219.tif 000009